(57)【要約】【課題】装置の高さ方向の大型化を抑制しつつ、表示ユニットの下側への部品の搭載、大画面化、表示面の向き変更機構の台座への組込み等を可能とした表示装置を提供する。【解決手段】このテレビジョン放送受信装置１は、画像を表示する表示ユニット２０と、表示ユニット２０の背面２０ｂに取り付けられる第１の取付面２３ａ、および第１の取付面２３ａよりも前方に位置する第２の取付面２３ｂを有するシャーシ２３と、シャーシ２３の第２の取付面２３ｂに取り付けられる一対のシャーシ取付部４０、および一対のシャーシ取付部４０間を連結し、第２の取付面２３ｂとの間に所定の空間を形成する凹部４１を有し、スタンド取付部４２がシャーシ２３の第１の取付面２３ａよりも後方に位置するブラケット４と、ブラケット４のスタンド取付部４２が取り付けられるスタンド部３と、所定の空間に配置されたＬＥＤユニット２５とを備える。【選択図】図４
2008158307.tif 000002
【特許請求の範囲】
【請求項１】
画像を表示する表示ユニットと、
前記表示ユニットの背面に取り付けられる第１の取付面、および前記第１の取付面よりも前方に位置する第２の取付面を有する板部材と、
前記板部材の前記第２の取付面に先端部が取り付けられ、基端部が前記板部材の前記第１の取付面よりも後方に位置する支持部材と、
前記支持部材の前記基端部が取り付けられる台座とを備えたことを特徴とする表示装置。
【請求項２】
前記支持部材は、前記第２の取付面に取り付けられる一対の取付部、および前記一対の取付部間を連結し、前記第２の取付面との間に所定の空間を形成する凹部を有することを特徴とする請求項１に記載の表示装置。
【請求項３】
画像を表示する表示ユニットと、
前記表示ユニットの背面に取り付けられる第１の取付面、および前記第１の取付面よりも前方に位置する第２の取付面を有する板部材と、
前記板部材の前記第２の取付面に取り付けられる一対の取付部、および前記一対の取付部間を連結し、前記第２の取付面との間に所定の空間を形成する凹部を有し、基端部が前記板部材の前記第１の取付面よりも後方に位置する支持部材と、
前記支持部材の前記基端部が取り付けられる台座と、
前記所定の空間に配置され、ＬＥＤが実装されたＬＥＤ基板とを備えたことを特徴とする表示装置。
【請求項４】
前記台座は、前記支持部材の前記基端部を回転可能に軸支する回転軸を備えたことを特徴とする請求項１または３に記載の表示装置。
【請求項５】
前記板部材は、前記表示ユニットを制御する回路基板が取り付けられることを特徴とする請求項１または３に記載の表示装置。
【請求項６】
前記表示ユニットおよび前記板部材は、カバーにより覆われ、
前記支持部材の基端部は、前記カバーの下側の開口を通して前記台座に取り付けられたことを特徴とする請求項１または２に記載の表示装置。
【発明の詳細な説明】
【技術分野】
【０００１】
本発明は、表示装置に関し、特に、表示ユニットの支持構造に関する。
【背景技術】
【０００２】
従来の技術として、装置本体をその重心の近くで支持脚により支持して台座に取り付けた液晶表示装置が知られている（例えば、特許文献１参照。）。
【０００３】
この液晶表示装置は、台座から立ち上げられた支持脚により、液晶モジュールをチルト調節可能に支えた構造を有する。この構成によれば、液晶モジュールを覆うキャビネットの背面に支持脚を取り付けた場合よりも装置本体の重心と支持脚の装置本体側の取付箇所との距離が短くなり、安定して装置本体を支持することができる。また、台座の前後幅を短くすることができる。
【特許文献１】実用新案登録第３１１１７０２号公報
【発明の開示】
【発明が解決しようとする課題】
【０００４】
しかし、従来の液晶表示装置によると、支持脚は台座から垂直に立ち上げられた構成を有しているため、液晶モジュール（表示ユニット）の下側に部品を搭載することが難しくなる。また、表示面を大型化した場合や、表示面の向きを支持脚の基端部側で変えるチルト機構や回転機構等の表示面の向き変更機構を台座に組み込んだ場合に、装置が高さ方向に大型化するという問題がある。
【０００５】
従って、本発明の目的は、装置の高さ方向の大型化を抑制しつつ、表示ユニットの下側への部品の搭載、大画面化、表示面の向き変更機構の台座への組込み等を可能とした表示装置を提供することにある。
【課題を解決するための手段】
【０００６】
［１］本発明は、上記目的を達成するため、画像を表示する表示ユニットと、前記表示ユニットの背面に取り付けられる第１の取付面、および前記第１の取付面よりも前方に位置する第２の取付面を有する板部材と、前記板部材の前記第２の取付面に先端部が取り付けられ、基端部が前記板部材の前記第１の取付面よりも後方に位置する支持部材と、前記支持部材の前記基端部が取り付けられる台座とを備えたことを特徴とする表示装置を提供する。
【０００７】
上記構成によれば、表示ユニットを板部材を介して支持する支持部材の先端部が板部材の第１の取付面よりも前方に位置することで、表示ユニットの重心近くで支持することができ、支持部材の先端部への負荷を軽減することができる。また、支持部材の基端部を板部材の第１の取付面よりも後方で台座に取り付けることにより、支持部材がオーバーハング構造となり、表示ユニットの下側への部品の搭載等が可能となる。
【０００８】
［２］本発明は、上記目的を達成するため、画像を表示する表示ユニットと、前記表示ユニットの背面に取り付けられる第１の取付面、および前記第１の取付面よりも前方に位置する第２の取付面を有する板部材と、前記板部材の前記第２の取付面に取り付けられる一対の取付部、および前記一対の取付部間を連結し、前記第２の取付面との間に所定の空間を形成する凹部を有し、基端部が前記板部材の前記第１の取付面よりも後方に位置する支持部材と、前記支持部材の前記基端部が取り付けられる台座と、前記所定の空間に配置され、ＬＥＤが実装されたＬＥＤ基板とを備えたことを特徴とする表示装置を提供する。
【０００９】
上記構成によれば、上記［１］と同様に、支持部材の先端部への負荷を軽減することができるとともに、表示ユニットの下側にＬＥＤ基板を配置することができる。なお、上記所定の空間には、ＬＥＤ基板を内蔵したＬＥＤユニットを配置してもよい。
【発明の効果】
【００１０】
本発明によれば、装置の高さ方向の大型化を抑制しつつ、表示ユニットの下側への部品の搭載、大画面化、表示面の向き変更機構の台座への組込み等が可能となる。
【発明を実施するための最良の形態】
【００１１】
図１は、本発明の実施の形態に係る表示装置を正面側から見た斜視図、図２は、その表示装置を後面側から見た斜視図である。表示装置の一例として、テレビジョン放送受信装置について説明するが、本発明の表示装置は、デスクトップ型のパーソナルコンピュータ等も含むものである。
【００１２】
このテレビジョン放送受信装置（表示装置）１は、画像を表示する表示ユニット２０をフロントカバー２１およびリアカバー２２により覆われた装置本体２と、装置本体２を後述するブラケット（支持部材）を介して支持するスタンド部（台座）３とを有して構成されている。
【００１３】
表示ユニット２０は、２つの偏光板間に配置された液晶パネルと、液晶パネルの背面側に積層された導光板と、導光板の側面に照明光を入射して液晶パネルを照射するバックライトと、これらの液晶パネル、偏光板、導光板、バックライトを保持する金属製の筐体とを備える。液晶パネルは、ブラウン管ディスプレイ、プラズマディスプレイ等の他のディスプレイでもよい。
【００１４】
フロントカバー２１は、表示ユニット２０の表示面２０ａに対応する窓２１ａが形成され、窓２１ａの下方には、ＬＥＤの点灯光を透過させる複数のＬＥＤ点灯窓２１ｂが形成されている。フロントカバー２１およびリアカバー２２は、ポリカーボネート等の樹脂から形成されている。リアカバー２２は、下側にブラケットを逃げる切欠または開口を有している。
【００１５】
スタンド部３は、ほぼ台形状の台形部３ａと台形部３ａから斜め左右前方に延びた脚部３ｂとからなる。
【００１６】
図３は、テレビジョン放送受信装置１の中央で切断した装置１の要部を示す図２のＡ−Ａ線断面図、後述するブラケットのシャーシ取付部で切断した装置１の要部を示す図２のＢ−Ｂ線断面図、図５は、テレビジョン放送受信装置１の分解斜視図である。装置本体２は、前述したように表示ユニット２０を有し、表示ユニット２０の背面２０ｂに取り付けられるシャーシ（板部材）２３と、シャーシ２３に取り付けられる各種の回路基板２４と、シャーシ２３の下部に取り付けられるＬＥＤユニット２５とを備える。
【００１７】
（シャーシ）
シャーシ２３は、表示ユニット２０の背面２０ｂを構成する筐体に取り付けられる表示ユニット取付部２３０および取付凹部２３３と、回路基板２４が取り付けられる基板取付部２３１と、基板取付部２３１から下方に延在し、ブラケット４が取り付けられる延在部２３２とを備え、鋼板、アルミニウム、アルミニウム合金等の金属から形成されている。延在部２３２には、開口２３２ａが形成され、その開口２３２ａの近傍には、ブラケット４を取り付けるためのねじ穴２３２ｂおよび位置決め穴２３２ｃが形成されている。
【００１８】
なお、表示ユニット取付部２３０および取付凹部２３３の表示ユニット２０側の面は、表示ユニット２０の背面２０ｂが取り付けられる第１の取付面２３ａである。また、延在部２３２のブラケット４側の面は、ブラケット４が取り付けられる第２の取付面２３ｂである。第２の取付面２３ｂは、第１の取付面２３ａよりも前方に位置している。これにより、図３、図４に示すように、第２の取付面２３ｂが第１の取付面２３ａとほぼ同一の面上に位置している場合よりもブラケット４のシャーシ取付部４０が装置本体２の重心Ｇを通る鉛直線Ｌに近い位置となる。
【００１９】
（スタンド部）
スタンド部３は、図２に示すように、スタンド本体３０と、スタンド本体３０の表面を覆うスタンドカバー３１とを備える。スタンド本体３０は、ねじ穴３０ａが形成されたボス部３０ｂと、テレビ台等の天板に当接する座部３０ｃとを備え、例えば、アルミダイキャストから形成される。スタンドカバー３１は、例えば、ポリカーボネート等の樹脂材料から形成される。
【００２０】
（ブラケット）
図６は、ブラケット４の斜視図である。ブラケット４は、シャーシ２３の延在部２３２に取り付けられる一対のシャーシ取付部（先端部）４０と、一対のシャーシ取付部４０間を連結する凹部４１と、スタンド部３に取り付けられるスタンド取付部（基端部）４２と、凹部４１の上方が後方に折曲された折曲部４３Ａと、凹部４１から後方に切り起こされた一対のリブ４４Ａと、スタンド取付部４２から上方に折曲された一対のリブ４４Ｂと、シャーシ取付部４０の下側が後方に折曲された折曲部４３Ｂと、スタンド取付部４２の取付穴４２ａの近傍に設けられたストッパ４５とを備え、鋼板、アルミニウム、アルミニウム合金等の金属から形成されている。
【００２１】
シャーシ取付部４０には、４つの取付穴４０ａと２つの位置決め穴４０ｂが形成され、図５に示すように、位置決めピン７を位置決め穴４０ｂおよびシャーシ２３の延在部２３２の位置決め穴２３２ｃに嵌合させ、ねじ６を取付穴４０ａに通してシャーシ２３の延在部２３２のねじ穴２３２ｂに螺合することにより、ブラケット４がシャーシ２３に取り付けられる。なお、位置決めピン７は、シャーシ２３側に設けておいてもよい。また、位置決めピン７をシャーシ２３側に設けておき、位置決めピン７を位置決め穴４０ｂに挿通させずにシャーシ取付部４０の切欠きによって形成されたＬ字状の２つの側面に当接することによって位置決めしてもよい。
【００２２】
スタンド取付部４２には、取付穴４２ａが形成され、ブラケット固定ねじ（回転軸）５を取付穴４２ａに通してスタンド部３のねじ穴３０ａに螺合することにより、ブラケット４が回転可能にスタンド部３に取り付けられる。これにより、装置本体２は、ブラケット固定ねじ５を中心に回転が可能となる。また、装置本体２の回転範囲は、ストッパ２５がボス部３０ｂの図示しない左右一対の段差部に当接することにより、一定の範囲に制限されている。
【００２３】
このように構成されたブラケット４は、一枚の板状素材に対して切断、プレス、穴空け等を行った後、折曲部４３Ｂと凹部４１の側部およびスタンド取付部４２の側部との間の溶接箇所４６Ａを溶接して接合し、リブ４４Ａ，４４Ｂ間の溶接箇所４６Ｂを溶接して接合することにより、作製することができる。なお、リブ４４Ａ，４４Ｂ間は、ねじ止めによって接合してもよく、溶接と併せてねじ止めによって接合してもよい。
【００２４】
また、ブラケット４は、オーバーハング構造を有する。すなわち、シャーシ２３への取付位置がスタンド部３への取付位置よりも前方に位置している。また、ブラケット４の凹部４１、スタンド取付部４２、折曲部４３Ａ，４３Ｂ、リブ４４Ａ，４４Ｂの構造により、ブラケット４の強度を高めている。なお、ブラケット４をシャーシ２３に取り付けるための取付穴４０ａを４つとしたが、５つ以上としてもよい。例えば、凹部４１の中央に１つの取付穴を設けてもよい。
【００２５】
（ＬＥＤユニット）
ＬＥＤユニット２５は、複数のＬＥＤ２５ａが実装された基板を内蔵し、複数のＬＥＤ２５ａがユニットケースから露出しており、ＬＥＤ２５ａの点灯光は、延在部２３２の開口２３２ａ、およびフロントカバー２１のＬＥＤ点灯窓２１ｂを介して外部に表示される。なお、ＬＥＤユニット２５は、延在部２３２の背面に取り付けてもよく、ブラケット４の凹部４１の内面に取り付けてもよい。
【００２６】
（第１の実施の形態の効果）
本実施の形態によれば、以下の効果を奏する。
（イ）ブラケット４のシャーシ取付部４０が装置本体２の重心Ｇを通る鉛直線Ｌに近い位置にあるので、シャーシ取付部４０に加わるモーメント（負荷）が小さくなり、ブラケット４を固定するためのねじ穴２３２ｂ、ねじ６、位置決めピン７等の破損を防ぐことができる。
（ロ）ブラケット４は、一対のシャーシ取付部４０間を凹部４１によって連結した構造を有しているので、シャーシ２３の延在部２３２と凹部４１との間、すなわち表示ユニット２０の下側にＬＥＤユニット２５を配置することができる。
（ハ）ブラケット４は、オーバーハンド構造を有しているので、装置１の高さ方向の大型化を抑制しつつ、表示ユニット２０の下側にＬＥＤユニット２５を搭載でき、表示ユニット２０の表示画面を大型化することができ、表示面２０ａの向き変更機構をスタンド部３に組み込むことができる。
【００２７】
なお、本発明は、上記実施の形態に限定されず、その発明の趣旨を逸脱しない範囲内で種々に変形実施が可能である。例えば、スタンド部側で表示ユニットを前後にチルトさせてもよい。また、シャーシ２３の延在部２３２と凹部４１との間に、ＬＥＤユニット５以外の他の部品を配置してもよい。
【図面の簡単な説明】
【００２８】
【図１】図１は、本発明の実施の形態に係る表示装置を正面側から見た斜視図である。
【図２】図２は、本発明の実施の形態に係る表示装置を後面側から見た斜視図である。
【図３】図３は、図２のＡ−Ａ線断面図である。
【図４】図４は、図２のＢ−Ｂ線断面図である。
【図５】図５は、本発明の実施の形態に係る表示装置の分解斜視図である。
【図６】図６は、ブラケットの斜視図である。
【符号の説明】
【００２９】
１  テレビジョン放送受信装置
２  装置本体
３  スタンド部
３ａ  台形部
３ｂ  脚部
４  ブラケット
５  ブラケット固定ねじ
６  ねじ
７  位置決めピン
２０  表示ユニット
２０ａ  表示面
２０ｂ  背面
２０ｃ  ねじ穴
２１  フロントカバー
２１ａ  窓
２１ｂ  ＬＥＤ点灯窓
２２  リアカバー
２３  シャーシ
２３ａ  第１の取付面
２３ｂ  第２の取付面
２４  回路基板
２５ａ  ＬＥＤ
２５  ＬＥＤユニット
３０  スタンド本体
３０ａ  ねじ穴
３０ｂ  ボス部
３０ｃ  座部
３１  スタンドカバー
３１ａ  開口
４０  シャーシ取付部
４０ａ 取付穴
４０ｂ  位置決め穴
４１  凹部
４２  スタンド取付部
４２ａ  取付穴
４３Ａ  折曲部
４３Ｂ  折曲部
４４Ａ  リブ
４４Ｂ  リブ
４５  ストッパ
４６Ａ，４６Ｂ  溶接箇所
２３０  表示ユニット取付部
２３０ａ  取付穴
２３１  基板取付部
２３２  延在部
２３２ａ  開口
２３２ｂ  ねじ穴
２３２ｃ  位置決め穴
２３３  取付凹部
２３３ａ  取付穴
Ｌ  鉛直線
【図１】
2008158307.tif 000003
【図２】
2008158307.tif 000004
【図３】
2008158307.tif 000005
【図４】
2008158307.tif 000006
【図５】
2008158307.tif 000007
【図６】
2008158307.tif 000008